(57)【要約】【課題】マルチ設定機能を有する携帯ドライヤーを提供する。【解決手段】主要回路と接続制御器を含むドライヤー回路が提供される。該主要回路は、電源ユニット、第一加熱ユニット、第二加熱ユニット、第一スイッチ、第二スイッチ、ファンモータ、抵抗、第一ダイオード及び第二ダイオードを含む。該第一と該第二加熱ユニットは、夫々、該第一と該第二スイッチを経由してグランド端と接続される。該抵抗は、該第一加熱ユニットと該ファンモータの間に接続される。該第一ダイオードは、該第二加熱ユニットと該ファンモータの間に接続される。該第二ダイオードは、該抵抗と直列接続され、また、該第一加熱ユニットと該ファンモータの間に接続される。該接続制御器は、該第一と該第二スイッチを制御することにより、該第一、該第二加熱ユニット及び該ファンモータに提供するパワーを調整する。【選択図】図１
2011206300.tif 000002
【特許請求の範囲】
【請求項１】
主要回路と、接続制御器とを含むドライヤー回路であって
前記主要回路は、
第一所定電圧を提供するための第一端と、第二所定電圧を提供するための第二端とを含む電源ユニットと、
前記電源ユニットの前記第一端と接続される第一端と、第二端とを含む第一加熱ユニットと、
前記電源ユニットの前記第一端と接続される第一端と、第二端とを含む第二加熱ユニットと、
前記電源ユニットの前記第一端と接続される第一端と、第二端とを含むファンモータと、
前記第二加熱ユニットの前記第二端と、前記ファンモータの前記第二端との間に接続されるダイオードと、
前記第一加熱ユニットの前記第二端と、前記ファンモータの前記第二端との間に接続される抵抗と、
を含み、
前記接続制御器は、前記第一加熱ユニットの前記第二端、前記第二加熱ユニットの前記第二端、及び前記電源ユニットの前記第二端に接続され、前記第一加熱ユニットの前記第二端と前記電源ユニットの前記第二端との接続関係を切り替え、また、前記第二加熱ユニットの前記第二端と前記電源ユニットの前記第二端との接続関係を切り替えるために用いられる、
ドライヤー回路。
【請求項２】
前記第一所定電圧が前記第二所定電圧より大きいときは、前記ダイオードの正端子が前記ファンモータの前記第二端に接続され、前記ダイオードの負端子が前記第二加熱ユニットの前記第二端に接続される、
請求項１に記載のドライヤー回路。
【請求項３】
前記第一所定電圧が前記第二所定電圧より小さいときは、前記ダイオードの負端子が前記ファンモータの前記第二端に接続され、前記ダイオードの正端子が前記第二加熱ユニットの前記第二端に接続される、
請求項１に記載のドライヤー回路。
【請求項４】
前記接続制御器は、切り替え装置を含み、
前記切り替え装置は、前記第一加熱ユニットの前記第二端を前記電源ユニットの前記第二端と接続させ、又は、前記第一加熱ユニットの前記第二端及び前記第二加熱ユニットの前記第二端を前記電源ユニットの前記第二端と接続させる、
請求項１に記載のドライヤー回路。
【請求項５】
前記接続制御器は、
前記電源ユニットの前記第二端と、前記第一加熱ユニットの前記第二端との間に接続され、前記電源ユニットの前記第二端を前記第一加熱ユニットの前記第二端と接続させるための第一スイッチと、
前記電源ユニットの前記第二端と、前記第二加熱ユニットの前記第二端との間に接続され、前記電源ユニットの前記第二端を前記第二加熱ユニットの前記第二端と接続させるための第二スイッチと、
を含む、
請求項１に記載のドライヤー回路。
【請求項６】
前記接続制御器は、切り替え装置を含み、
前記切り替え装置は、前記第一加熱ユニットの前記第二端を前記電源ユニットの前記第二端と接続させ、又は、前記第二加熱ユニットの前記第二端を前記電源ユニットの前記第二端と接続させ、又は、前記第一加熱ユニットの前記第二端及び前記第二加熱ユニットの前記第二端を前記電源ユニットの前記第二端と接続させる、
請求項１に記載のドライヤー回路。
【請求項７】
前記切り替え装置は、スライドスイッチであり、
前記スライドスイッチは、スライドボタンと、第一接点と、第二接点と、を含み、
前記スライドボタンが第一位置に移動したときは、前記第一接点により、前記第一加熱ユニットの前記第二端を前記電源ユニットの前記第二端と接続させ、
前記スライドボタンが第二位置に移動したときは、前記第一接点により、前記第二加熱ユニットの前記第二端を前記電源ユニットの前記第二端と接続させると同時に、前記第二接点により、前記第一加熱ユニットの前記第二端を前記電源ユニットの前記第二端と接続させる、
請求項４に記載のドライヤー回路。
【請求項８】
前記接続制御器は、第一電子スイッチと、第二電子スイッチと、切り替え装置と、を含み、
前記第一電子スイッチは、
前記第一加熱ユニットの前記第二端と接続される第一端と、
前記電源ユニットの前記第二端と接続される第二端と、
制御端と、
を含み、
前記第一電子スイッチの前記制御端が前記第一所定電圧を受けたときは、前記第一電子スイッチの前記第一端が前記第一電子スイッチの前記第二端に接続され、
前記第二電子スイッチは、
前記第二加熱ユニットの前記第二端と接続される第一端と、
前記電源ユニットの前記第二端と接続される第二端と、
制御端と、
を含み、
前記第二電子スイッチの前記制御端が前記第一所定電圧を受けたときは、前記第二電子スイッチの前記第一端が前記第二電子スイッチの前記第二端に接続され、
前記切り替え装置は、前記第一電子スイッチの前記制御端を前記電源ユニットの前記第一端と接続させ、又は、前記第二電子スイッチの前記制御端を前記電源ユニットの前記第一端と接続させる、
請求項１に記載のドライヤー回路。
【請求項９】
前記切り替え装置は、
前記電源ユニットの前記第一端と接続される第一導電接点と、
前記第一電子スイッチの前記制御端と接続される第二導電接点と、
前記第一電子スイッチの前記制御端と、前記第二電子スイッチの前記制御端との間に接続されるダイオードと、
前記第二電子スイッチの前記制御端と接続される第三導電接点と、
スライドボタン及び接点を含むスライドスイッチと、
を含み、
前記スライドボタンが第一位置に移動したときは、前記接点により、前記第一導電接点を前記第二導電接点と接続させ、
前記スライドボタンが第二位置に移動したときは、前記接点により、前記第一導電接点を前記第三導電接点と接続させる、
請求項８に記載のドライヤー回路。
【請求項１０】
第二ダイオードを更に含み、
前記第二ダイオードは、前記抵抗と直列接続され、また、前記ファンモータの前記第二端と、前記第一加熱ユニットの前記第二端との間に接続される、
請求項１に記載のドライヤー回路。
【請求項１１】
前記第一所定電圧が前記第二所定電圧より大きいときは、前記第二ダイオードの正端子が前記ファンモータの前記第二端に接続され、前記第二ダイオードの負端子が前記第一加熱ユニットの前記第二端に接続される、
請求項１０に記載のドライヤー回路。
【請求項１２】
前記第一所定電圧が前記第二所定電圧より小さいときは、前記第二ダイオードの負端子が前記ファンモータの前記第二端に接続され、前記第二ダイオードの正端子が前記第一加熱ユニットの前記第二端に接続される、
請求項１０に記載のドライヤー回路。
【請求項１３】
前記接続制御器は、切り替え装置を含み、
前記切り替え装置は、前記第一加熱ユニットの前記第二端を前記電源ユニットの前記第二端と接続させ、又は、前記第二加熱ユニットの前記第二端を前記電源ユニットの前記第二端と接続させる、
請求項１０に記載のドライヤー回路。
【請求項１４】
前記接続制御器は、切り替え装置を含み、
前記切り替え装置は、前記第一加熱ユニットの前記第二端を前記電源ユニットの前記第二端と接続させ、又は、前記第二加熱ユニットの前記第二端を前記電源ユニットの前記第二端と接続させ、又は、前記第一加熱ユニットの前記第二端及び前記第二加熱ユニットの前記第二端を同時に前記電源ユニットの前記第二端と接続させる、
請求項１０に記載のドライヤー回路。
【請求項１５】
前記接続制御器は、第一電子スイッチと、第二電子スイッチと、切り替え装置と、を含み、
前記第一電子スイッチは、
前記第一加熱ユニットの前記第二端と接続される第一端と、
前記電源ユニットの前記第二端と接続される第二端と、
制御端と、
を含み、
前記第一電子スイッチの前記制御端が前記第一所定電圧を受けたときは、前記第一電子スイッチの前記第一端が前記第一電子スイッチの前記第二端に接続され、
前記第二電子スイッチは、
前記第二加熱ユニットの前記第二端と接続される第一端と、
前記電源ユニットの前記第二端と接続される第二端と、
制御端と、
を含み、
前記第二電子スイッチの前記制御端が前記第一所定電圧を受けたときは、前記第二電子スイッチの前記第一端が前記第二電子スイッチの前記第二端に接続され、
前記切り替え装置は、前記第一電子スイッチの前記制御端を前記電源ユニットの前記第一端と接続させ、又は、前記第二電子スイッチの前記制御端を前記電源ユニットの前記第一端と接続させ、又は、前記第一電子スイッチの前記制御端及び前記第二電子スイッチの前記制御端を同時に前記電源ユニットの前記第一端と接続させる、
請求項１０に記載のドライヤー回路。
【請求項１６】
前記切り替え装置は、
前記電源ユニットの前記第一端と接続される第一導電接点と、
前記電源ユニットの前記第一端と接続される第二導電接点と、
前記電源ユニットの前記第一端と接続される第三導電接点と、
前記第一電子スイッチの前記制御端と接続される第四導電接点と、
前記第二電子スイッチの前記制御端と接続される第五導電接点と、
前記第二電子スイッチの前記制御端と接続される第一ダイオードと、
前記第一ダイオードを経由して、前記第二電子スイッチの前記制御端と接続される第六導電接点と、
前記第一電子スイッチの前記制御端と、前記第六導電接点との間に接続される第二ダイオードと、
スライドボタン及び接点を含むスライドスイッチと、
を含み、
前記スライドボタンが第一位置に移動したときは、前記接点が前記第一導電接点及び前記第四導電接点に接続され、
前記スライドボタンが第二位置に移動したときは、前記接点が前記第二導電接点及び前記第五導電接点に接続され、
前記スライドボタンが第三位置に移動したときは、前記接点が前記第三導電接点及び前記第六導電接点に接続される、
請求項１５に記載のドライヤー回路。
【請求項１７】
主要回路と、接続制御器とを含むドライヤー回路であって
前記主要回路は、
第一所定電圧を提供するための第一端と、第二所定電圧を提供するための第二端とを含む電源ユニットと、
第一端と、前記電源ユニットの前記第二端と接続される第二端とを含む第一加熱ユニットと、
前記第一加熱ユニットの前記第一端と接続される第一端と、第二端とを含む第二加熱ユニットと、
前記第一加熱ユニットの前記第一端と接続される第一端と、第二端とを含むファンモータと、
前記第二加熱ユニットの前記第二端と、前記ファンモータの前記第二端との間に接続されるダイオードと、
前記第一加熱ユニットの前記第二端と、前記ファンモータの前記第二端との間に接続される抵抗と、
を含み、
前記接続制御器は、前記電源ユニット、前記第一加熱ユニット及び前記第二加熱ユニットに接続され、前記第一加熱ユニット、前記電源ユニット及び前記第二加熱ユニットの間の接続関係を切り替えるために用いられる、
ドライヤー回路。
【請求項１８】
前記第一所定電圧が前記第二所定電圧より大きいときは、前記ダイオードの正端子が前記ファンモータの前記第二端に接続され、前記ダイオードの負端子が前記第二加熱ユニットの前記第二端に接続される、
請求項１７に記載のドライヤー回路。
【請求項１９】
前記第一所定電圧が前記第二所定電圧より小さいときは、前記ダイオードの負端子が前記ファンモータの前記第二端に接続され、前記ダイオードの正端子が前記第二加熱ユニットの前記第二端に接続される、
請求項１７に記載のドライヤー回路。
【請求項２０】
前記接続制御器は、切り替え装置を含み、
前記切り替え装置は、前記第一加熱ユニットの前記第一端を前記電源ユニットの前記第一端と接続させ、又は、前記第一加熱ユニットの前記第一端を前記電源ユニットの前記第一端と接続させ及び前記第二加熱ユニットの前記第二端を前記電源ユニットの前記第二端と接続させる、
請求項１７に記載のドライヤー回路。
【請求項２１】
前記接続制御器は、
前記電源ユニットの前記第一端と、前記第一加熱ユニットの前記第一端との間に接続される第一スイッチと、
前記電源ユニットの前記第二端と、前記第二加熱ユニットの前記第二端との間に接続される第二スイッチと、
を含む、
請求項２０に記載のドライヤー回路。
【請求項２２】
前記接続制御器は、第一電子スイッチと、第二電子スイッチと、切り替え装置と、を含み、
前記第一電子スイッチは、
前記第一加熱ユニットの前記第一端と接続される第一端と、
前記電源ユニットの前記第一端と接続される第二端と、
制御端と、
を含み、
前記第一電子スイッチの前記制御端が前記第一所定電圧を受けたときは、前記第一電子スイッチの前記第一端が前記第一電子スイッチの前記第二端に接続され、
前記第二電子スイッチは、
前記第二加熱ユニットの前記第二端と接続される第一端と、
前記電源ユニットの前記第二端と接続される第二端と、
制御端と、
を含み、
前記第二電子スイッチの前記制御端が前記第一所定電圧を受けたときは、前記第二電子スイッチの前記第一端が前記第二電子スイッチの前記第二端に接続され、
前記切り替え装置は、前記第一電子スイッチの前記制御端を前記電源ユニットの前記第一端と接続させ、又は、前記第一電子スイッチの前記制御端及び前記第二電子スイッチの前記制御端を同時に前記電源ユニットの前記第一端と接続させる、
請求項１７に記載のドライヤー回路。
【請求項２３】
前記切り替え装置は、
前記電源ユニットの前記第一端と接続される第一導電接点と、
前記第一電子スイッチの前記制御端と接続される第二導電接点と、
前記第二電子スイッチの前記制御端と接続される第三導電接点と、
前記第一電子スイッチの前記制御端と、前記第二電子スイッチの前記制御端との間に接続されるダイオードと、
スライドボタン及び接点を含むスライドスイッチと、
を含み、
前記スライドボタンが第一位置に移動したときは、前記接点が前記第一導電接点及び前記第二導電接点に接続され、
前記スライドボタンが第二位置に移動したときは、前記接点が前記第一導電接点及び前記第三導電接点に接続される、
請求項２２に記載のドライヤー回路。
【請求項２４】
主要回路と、接続制御器とを含むドライヤー回路であって
前記主要回路は、
第一所定電圧を提供するための第一端と、第二所定電圧を提供するための第二端とを含む電源ユニットと、
前記電源ユニットの前記第一端と接続される第一端と、第二端とを含む第一加熱ユニットと、
前記電源ユニットの前記第一端と接続される第一端と、第二端とを含む第二加熱ユニットと、
前記電源ユニットの前記第一端と接続される第一端と、第二端とを含むファンモータと、
前記第二加熱ユニットの前記第二端と、前記ファンモータの前記第二端との間に接続されるダイオードと、
前記第一加熱ユニットの前記第二端と、前記ファンモータの前記第二端との間に接続される抵抗と、
を含み、
前記接続制御器は、前記電源ユニット、前記第一加熱ユニット及び前記第二加熱ユニットに接続され、前記第一加熱ユニット、前記電源ユニット及び前記第二加熱ユニットの間の接続関係を切り替えるために用いられる、
ドライヤー回路。
【請求項２５】
前記接続制御器は、切り替え装置を含み、
前記切り替え装置は、前記第一加熱ユニットの前記第二端を前記電源ユニットの前記第二端と接続させ、又は、前記第一加熱ユニットの前記第二端を前記電源ユニットの前記第二端と接続させ及び前記第二加熱ユニットの前記第二端を前記第一加熱ユニットの前記第二端と接続させる、
請求項２４に記載のドライヤー回路。
【発明の詳細な説明】
【技術分野】
【０００１】
本発明は、携帯ドライヤーに関し、具体的に、マルチ設定機能を有する携帯ドライヤー及びその関連回路に関する。
【背景技術】
【０００２】
従来のドライヤー（乾燥器）は、電源コードを有し、その電源コードを交流電源のコンセントに接続することにより作動する。よって、従来のドライヤーの使用は、交流電源のコンセントから電源コードの長さまでの範囲内に制限される。それ以外、各国の交流電源の規格、例えば、電圧、周期及びコンセントも夫々異なるので、使用者が旅行するときに従来のドライヤーを使用しようとする場合は、異なる転換器及び変圧器が必要となり、多大な不便を来す。また、従来のドライヤーは、正弦振幅を有する交流電流により駆動されるので、その多くは、ダイオードを用いて、生成された熱エネルギーを制御する。例えば、従来のドライヤーのスイッチは、低温モードに切り替えられるときに、交流電源の電流は、ダイオードを経由して加熱用タングステン線に流れる。しかし、ダイオードは一方向の伝導特性を有するので、交流電源の半分の電気エネルギー（半周期）は除去され、これにより、僅か半分の電気エネルギーによる電流は加熱用タングステン線に流れる。また、従来のドライヤーのスイッチは高温モードに切り替えられるときに、交流電源の電流はダイオードを経由せずに加熱用タングステン線に流れるので、全ての電気エネルギーによる電流は加熱用タングステン線に流れ、これにより、温度を上げることができる。またこれと同時に、従来のドライヤーのモータに直流電流を提供するためには、別途の橋整流器により交流電源を直流電源に転換しなければならない。
【発明の概要】
【発明が解決しようとする課題】
【０００３】
本発明の目的は、マルチ設定機能を有する携帯ドライヤー及びその関連回路を提供することにある。
【課題を解決するための手段】
【０００４】
本発明は、ドライヤー回路を提供し、このドライヤー回路は、主要回路及び接続制御器を含む。前記主要回路は、電源ユニット、第一加熱ユニット、第二加熱ユニット、ファンモータ、ダイオード及び抵抗を含む。前記電源ユニットは、第一所定電圧を提供するための第一端、及び第二所定電圧を提供するための第二端を有する。前記第一加熱ユニットは、前記電源ユニットの第一端に接続される第一端、及び第二端を含む。前記第二加熱ユニットは、前記電源ユニットの第一端に接続される第一端、及び第二端を含む。前記ファンモータは、前記電源ユニットの第一端に接続される第一端、及び第二端を含む。前記ダイオードは、前記第二加熱ユニットの第二端と前記ファンモータの第二端との間に接続される。前記抵抗は、前記第一加熱ユニットの第二端と前記ファンモータの第二端との間に接続される。前記接続制御器は、前記第一加熱ユニットの第二端、前記第二加熱ユニットの第二端及び前記電源ユニットの第二端に接続され、前記第一加熱ユニットの第二端と前記電源ユニットの第二端との接続関係を切り替えるために、また、前記第二加熱ユニットの第二端と前記電源ユニットの第二端との接続関係を切り替えるために用いられる。
【０００５】
また、本発明は、他のドライヤー回路を提供し、このドライヤー回路は、主要回路及び接続制御器を含む。前記主要回路は、電源ユニット、第一加熱ユニット、第二加熱ユニット、ファンモータ、ダイオード及び抵抗を含む。前記電源ユニットは、第一所定電圧を提供するための第一端、及び第二所定電圧を提供するための第二端を含む。前記第一加熱ユニットは、第一端、及び前記電源ユニットの第二端に接続される第二端を含む。前記第二加熱ユニットは、前記第一加熱ユニットの第一端に接続される第一端、及び第二端を含む。前記ファンモータは、前記第一加熱ユニットの第一端に接続される第一端、及び第二端を含む。前記ダイオードは、前記第二加熱ユニットの第二端と前記ファンモータの第二端との間に接続される。前記抵抗は、前記第一加熱ユニットの第二端と前記ファンモータの第二端との間に接続される。前記接続制御器は、前記電源ユニット、前記第一加熱ユニット及び前記第二加熱ユニットに接続され、前記第一加熱ユニット、前記電源ユニット及び前記第二加熱ユニットの間の接続関係を切り替えるために用いられる。
【０００６】
また、本発明は、他のドライヤー回路を提供し、このドライヤー回路は、主要回路及び接続制御器を含む。前記主要回路は、電源ユニット、第一加熱ユニット、第二加熱ユニット、ファンモータ、ダイオード及び抵抗を含む。前記電源ユニットは、第一所定電圧を提供するための第一端、及び第二所定電圧を提供するための第二端を含む。前記第一加熱ユニットは、前記電源ユニットの第一端に接続される第一端、及び第二端を含む。前記第二加熱ユニットは、前記電源ユニットの第一端に接続される第一端、及び第二端を含む。前記ファンモータは、前記電源ユニットの第一端に接続される第一端、及び第二端を含む。前記ダイオードは、前記第二加熱ユニットの第二端と前記ファンモータの第二端との間に接続される。前記抵抗は、前記第一加熱ユニットの第二端と前記ファンモータの第二端との間に接続される。前記接続制御器は、前記電源ユニット、前記第一加熱ユニット及び前記第二加熱ユニットに接続され、前記第一加熱ユニット、前記電源ユニット及び前記第二加熱ユニットの間の接続関係を切り替えるために用いられる。
【発明の効果】
【０００７】
本発明は、マルチ設定機能を有する携帯ドライヤー及びその関連回路を提供するができる。
【図面の簡単な説明】
【０００８】
【図１】本発明の第一実施例によるドライヤー回路を説明するための図である。
【図２】本発明のドライヤー回路の作動モード１を説明するための図である。
【図３】本発明の主要回路の素子がモード１の下で消耗した電気エネルギーの計算を説明するための図である。
【図４】本発明のドライヤー回路の作動モード２を説明するための図である。
【図５】本発明の主要回路の素子がモード２の下で消耗した電気エネルギーの計算を説明するための図である。
【図６】本発明のドライヤー回路の作動モード３を説明するための図である。
【図７】本発明の主要回路の素子がモード３の下で消費した電気消費量の計算を説明するための図である。
【図８】本発明のドライヤーに係る第一実施例の接続制御器の第一実施例を説明するための図である。
【図９】本発明のドライヤーに係る第一実施例の接続制御器の第二実施例を説明するための図である。
【図１０】図９の接続制御器の作動モード１を説明するための図である。
【図１１】図９の接続制御器の作動モード２を説明するための図である。
【図１２】図９の接続制御器の作動モード３を説明するための図である。
【図１３】本発明のドライヤー回路に係る第一実施例の接続制御器の第三実施例を説明するための図である。
【図１４】本発明のドライヤー回路に係る第一実施例の接続制御器の第四実施例を説明するための図である。
【図１５】本発明のドライヤー回路に係る第一実施例の接続制御器の第五実施例を説明するための図である。
【図１６】本発明の第一実施例のドライヤー回路の等価回路を説明するための図である。
【図１７】本発明の第二実施例によるドライヤー回路を説明するための図である。
【図１８】図１７のドライヤー回路の作動モード１を説明するための図である。
【図１９】図１７のドライヤー回路の作動モード３を説明するための図である。
【図２０】本発明のドライヤー回路に係る第二実施例の接続制御器の第一実施例を説明するための図である。
【図２１】本発明のドライヤー回路に係る第二実施例の接続制御器の第二実施例を説明するための図である。
【図２２】本発明のドライヤー回路に係る第二実施例の接続制御器の第三実施例を説明するための図である。
【図２３】本発明のドライヤー回路に係る第二実施例の接続制御器の第四実施例を説明するための図である。
【図２４】本発明のドライヤー回路に係る第二実施例の接続制御器の第五実施例を説明するための図である。
【図２５】本発明のドライヤー回路に係る第二実施例の代替実施例を説明するための図である。
【図２６】本発明の第三実施例のドライヤー回路を示す図である。
【図２７】本発明のドライヤー回路に係る第三実施例の接続制御器の第一実施例を説明するための図である。
【図２８】本発明のドライヤー回路に係る第三実施例の接続制御器の第二実施例を説明するための図である。
【図２９】本発明のドライヤー回路に係る第三実施例の接続制御器の第三実施例を説明するための図である。
【図３０】本発明の第三実施例のドライヤー回路がモード２の下でも作動できることを説明するための図である。
【図３１】本発明の第三実施例の主要回路の素子がモード２の下で消費した電気消費量の計算を説明するための図である。
【発明を実施するための形態】
【０００９】
次に、添付した図面を参照しながら、本発明の好適な実施形態を詳細に説明する。
【００１０】
本発明は、携帯電源（例えば、電池）を利用することにより、交流電源のコンセントに接続する必要がない携帯ドライヤーを提供する。これ以外、本発明は、斬新な回路デザインを提供しモータ及び加熱ユニットの消耗パワーを同時に制御することにより、適切な熱量及び風量を生成する。
【００１１】
図１を参照する。図１は、本発明の第一実施例によるドライヤー回路１００を説明するための図である。図１に示すように、ドライヤー回路１００は、主要回路１１０及び接続制御回路１２０を含む。主要回路１１０は、電源ユニットＢ、モータＭ（ファンを含む）、二つのダイオードＤ１及びＤ２、二つの加熱ユニットＨＧ１及びＨＧ２、抵抗Ｒ１、並びに四つのノードＮ１、Ｎ２、Ｎ３及びＮ４を含む。また、電気特性について言えば、ノードＮ２は、ノードＮ４と等しい。電源ユニットＢは、電圧ＶＢ（２０Ｖ）を提供する正端子、及びグランド端子（０Ｖ）としての負端子を含む。加熱ユニットＨＧ１及びＨＧ２は、夫々、その上に消耗した電気エネルギーにより熱エネルギーを生成する。モータ（ファンを含む）は、その上に消耗した電気エネルギーにより、対応する風量を生成する。
【００１２】
電源ユニットＢの正端子とノードＮ１との間において、加熱ユニットＨＧ１、モータＭ、ダイオードＤ２及び抵抗Ｒ１は、回路群Ｇ１を形成する。回路群Ｇ１において、モータＭはダイオードＤ２及び抵抗Ｒ１と接続され、そのうち、ダイオードＤ２及び抵抗Ｒ１は、直列接続であり、また、モータＭは、並列接続の形で、加熱ユニットＨＧ１と接続される。
【００１３】
電源ユニットＢの正端子とノードＮ３との間において、加熱ユニットＨＧ２、モータＭ及びダイオードＤ１は、回路群Ｇ２を形成する。回路群Ｇ２において、モータＭはダイオードＤ１と直列接続され、また、モータＭは、並列接続の形で、加熱ユニットＨＧ２と接続される。
【００１４】
接続制御器１２０は、ノードＮ１とノードＮ２との間の接続、及びノードＮ３とノードＮ４との間の接続を夫々制御する。よって、電流を、回路群Ｇ１又は回路群Ｇ２を流れるよう、或いは、回路群Ｇ１と回路群Ｇ２を同時に流れるよう制御することにより、ドライヤー回路１００を異なる操作モードに設定することができる。
【００１５】
次に、本発明のドライヤー１００の四つの操作モード（モード０、１、２、３）について説明する。モード０の下では、接続制御器１２０は、ノードＮ１とノードＮ２との間の接続を切断すると同時に、ノードＮ３とノードＮ４との間の接続を切断する。よって、電流は、モータＭ、及び加熱ユニットＨＧ１とＨＧ２に流れることができない。モード１の下では、接続制御器１２０は、ノードＮ１をノードＮ２に接続するだけで、電流は、回路群Ｇ１に流れるだけである。モード２の下では、接続制御器１２０は、ノードＮ３をノードＮ４に接続するだけで、電流は、回路群Ｇ２に流れるだけである。モード３の下では、接続制御器１２０は、ノードＮ１をノードＮ２に接続すると同時に、ノードＮ３をノードＮ４に接続し、これにより、電流は、回路群Ｇ１と回路群Ｇ２に同時に流れることができる。
【００１６】
図２を参照する。図２は、本発明のドライヤー回路１００の作動モード１を説明するための図である。図２に示すように、接続制御器１２０は、ノードＮ１をノードＮ２に接続すると同時に、ノードＮ３とノードＮ４との間の接続を切断する。従来のドライヤーにおいて、ダイオードは、半波整流の機能として交流電源の半分の電気エネルギー（半周期）除去するに対して、モード１の下では、ダイオードＤ１は、直流電流が加熱ユニットＨＧ２に流れることを阻止する役割を果たす。よって、電源ユニットＢが提供した電流は、回路群Ｇ１にのみ流れるので、加熱ユニットＨＧ１の電圧ＶＨＧ１は、電源ユニットＢの電圧ＶＢと等しくなる。ダイオードＤ２の電圧降下が極めて小さいので、計算の便宜のため、ここでは、それを省略する。また、抵抗Ｒ１及びモータＭは、分圧の原理に従いて、電圧ＶＢを分担する。
【００１７】
モード１では、加熱ユニットＨＧ１及びモータＭの夫々の電気消費量は、次の式により計算することができる。
【００１８】
ＰＨＧ１＝ＶＢ２／（ＲＨＧ１）  （１）
【００１９】
ＶＭ  ＝ＶＢ×［ＲＭ  ／（ＲＭ  ＋Ｒ１）］  （２）
【００２０】
ＰＭ＝ＶＭ２／ＲＭ＝ＶＢ２×ＲＭ／（ＲＭ  ＋Ｒ１）２  （３）
ここで、ＶＭはモータＭの電圧であり、ＰＨＧ１とＰＭは夫々加熱ユニットＨＧ１とモータＭが消耗した電気エネルギーであり、ＲＨＧ１、Ｒ１、ＲＭは夫々加熱ユニットＨＧ１、抵抗Ｒ１及びモータＭの抵抗を表す。
【００２１】
図３を参照する。図３は、本発明の主要回路１１０の素子がモード１の下で消耗した電気エネルギーの計算を説明するための図である。図３に示すように、モータＭの電気消費量は、２５．７ワットであり、主要電路１１０の総電気消費量は、２３５．９ワットである。
【００２２】
図４を参照する。図４は、本発明のドライヤー回路１００の作動モード２を説明するための図である。図４に示すように、接続制御器１２０は、ノードＮ３をノードＮ４に接続すると同時に、ノードＮ１とノードＮ２との間の接続を切断する。モード２では、ダイオードＤ２は、直流電流が加熱ユニットＨＧ１に流れることを阻止することができる。よって、電源ユニットＢが提供した電流は、回路群Ｇ２にのみ流れるので、加熱ユニットＨＧ２の電圧ＶＨＧ２は、電源ユニットＢの電圧ＶＢと等しくなる。ダイオードＤ１の電圧降下が極めて小さいので、計算の便宜のため、ここでは、それを省略する。また、モータＭの電圧は、電圧ＶＢと等しくなる。
【００２３】
モード２では、加熱ユニットＨＧ１及びモータＭの夫々の電気消費量は、次の式により計算することができる。
【００２４】
ＰＨＧ２＝ＶＢ２／（ＲＨＧ２）  （４）
【００２５】
ＰＭ＝ＶＢ２／ＲＭ  （５）
ここで、ＰＨＧ２は加熱ユニットＨＧ２が消耗した電気エネルギーであり、ＲＨＧ２は加熱ユニットＨＧ２の抵抗である。
【００２６】
図５を参照する。図５は、本発明の主要回路１１０の素子がモード２の下で消耗した電気エネルギーの計算を説明するための図である。図５に示すように、モータＭの電気消費量は５０ワットであり、主要回路１１０の総電気消費量は２５０ワットである。主要回路１１０のモード１の下での総電気消費量は、そのモード２の下での総電気消費量と大抵等しく、モータＭのモード２の下での電気消費量は、そのモード１の下での電気消費量の約２倍である。
【００２７】
図６を参照する。図６は、本発明のドライヤー回路１００の作動モード３を説明するための図である。図６に示すように、接続制御器１２０は、ノードＮ１をノードＮ２に接続すると同時に、ノード３をノード４に接続する。よって、電源ユニットＢが提供した電流は、回路群Ｇ１と回路群Ｇ２に同時に流れることができる。これにより、加熱ユニットＨＧ１の電圧ＶＨＧ１は、電源ユニットの電圧ＶＢと等しくなり、加熱電圧ＨＧ２の電圧ＶＨＧ２も、電源ユニットの電圧ＶＢと等しくなる。回路群Ｇ１には抵抗Ｒ１が設けられるので、モード２においては、抵抗Ｒ１とダイオードＤ２を流れる電流が極めて小さいので、省略されても良い。ダイオードＤ１の電圧降下が極めて小さいので、計算の便宜のため、ここでは、それを省略する。また、モータＭの電圧は、電圧ＶＢと等しい。
【００２８】
モード３では、加熱ユニットＨＧ１、ＨＧ２及びモータＭの夫々の電気消費量は、次の式により計算することができる。
【００２９】
ＰＨＧ１＝ＶＢ２／（ＲＨＧ１）  （６）
【００３０】
ＰＨＧ２＝ＶＢ２／（ＲＨＧ２）  （７）
【００３１】
ＰＭ＝ＶＭ２／ＲＭ＝ＶＢ２／ＲＭ  （８）
ここで、ＰＨＧ１とＰＨＧ２は夫々加熱ユニットＨＧ１とＨＧ２の電気消費量であり、ＲＨＧ１とＲＨＧ２は夫々加熱ユニットＨＧ１とＨＧ２の抵抗であり、ＰＭはモータＭの電気消費量であり、ＲＭはモータＭの抵抗である。
【００３２】
図７を参照する。図７は、本発明の主要回路１１０の素子がモード３の下で消費した電気消費量の計算を説明するための図である。図７に示すように、モータＭの電気消費量は、５０ワットであり、主要回路１１０の総電気消費量は、４５０ワットである。モード３では、モータＭの電気消費量及び主要電路１１０の総電気消費量は、モード１の下の場合の電気消費量の約２倍である。
【００３３】
図８を参照する。図８は、本発明のドライヤーに係る第一実施例の接続制御器８００の第一実施例を説明するための図である。図８に示すように、接続制御器８００は、二つのスイッチＳＷ１とＳＷ２を含み、夫々、ノードＮ１とノードＮ２との間の接続、及び、ノードＮ３とノードＮ４との間の接続を制御するために用いられるものである。スイッチＳＷ１とＳＷ２を夫々利用することにより、本発明のドライヤー回路１００はモード０、１、２及び３の間で切り替えることができる。なお、スイッチＳＷ１とＳＷ２は、機械式スイッチである。
【００３４】
図９を参照する。図９は、本発明の接続制御器８０１を説明するための図である。接続制御器８０１は、接続制御器８００及びスライドスイッチＳＷＴによるものである。図９に示すように、スライドスイッチＳＷＴは、ベースＨ、スライドボタンＴ及び二つの導電接点Ｐ１とＰ２を含む。スライドスイッチＳＷＴは、ノードＮ１とノードＮ２との間の接続、及び、ノードＮ３とノードＮ４との間の接続を制御するために用いられるものである。導電接点Ｐ３とＰ４の形状は、点状であり、また、夫々、ノードＮ１とノードＮ２に配置される。導電接点Ｐ５とＰ６の形状は、線状であり、また、夫々、ノードＮ３とノードＮ４に配置される。スライドスイッチＳＷＴのスライドボタンＴを異なる位置に移動することにより、ドライヤー回路１００は、モード０、１、２及び３の夫々の下で作動することができる。
【００３５】
図９に示す初期設定において、接続制御器８０１は、スライドボタンＴを特定の位置に設けることにより、導電接点Ｐ１とＰ３を、導電接点Ｐ３、Ｐ４、Ｐ５及びＰ６と隔離させ、これにより、ドライヤー回路１００は、モード０の下で作動することになる。
【００３６】
図１０を参照する。図１０は、接続制御器８０１が作動モード１の下で作動することを説明するための図である。図１０に示すように、スライドボタンＴを下へ移動することにより、導電接点Ｐ２を、導電接点Ｐ３とＰ４に接触させ、これにより、ノードＮ１とノードＮ２との間は接続される。よって、ノードＮ１とノードＮ２は、導電接点Ｐ２により短絡を形成し、本発明のドライヤー回路１００をモード１に切り替えることができる。
【００３７】
図１１を参照する。図１１は、接続制御器８０１が作動モード２の下で作動することを説明すうための図である。図１１に示すように、スライドボタンＴを下へ更に移動することにより、導電接点Ｐ２を、導電接点Ｐ３とＰ４から離させて導電接点Ｐ５とＰ６に接触させ、これにより、ノードＮ３とノードＮ４との間は接続される。よって、ノードＮ３とノードＮ４は、導電接点Ｐ２により短絡を形成し、本発明のドライヤー回路１００をモード２に切り替えることができる。
【００３８】
図１２を参照する。図１２は、接続制御器８０１が作動モード３の下で作動することを説明するための図である。図１２に示すように、スライドボタンＴを下へ更に移動することにより、導電接点Ｐ２を、導電接点Ｐ５、Ｐ６との間の接続を維持させてノードＮ３とノードＮ４との間を接続させながら、導電接点Ｐ１を、導電接点Ｐ３とＰ４に接触させてノードＮ１とノードＮ２との間を接続させる。よって、ノードＮ１とノードＮ２は、導電接点Ｐ１により短絡を形成し、ノードＮ３とノードＮ４は、導電接点Ｐ２により短絡を形成し、これにより、本発明のドライヤー回路１００をモード３に切り替えることができる。
【００３９】
図１３を参照する。図１３は、本発明の第一実施例に係る他の接続制御器１３００を説明するための図である。図１３に示すように、接続制御器１３００は、二つのトランジスタＱ１とＱ２を含む。トランジスタＱ１は、スイッチＳＷ３により制御され、これにより、ノードＮ１とノードＮ２との間の接続を制御する。トランジスタＱ２は、スイッチＳＷ４により制御され、これにより、ノードＮ３とノードＮ４との間の接続を制御する。スイッチＳＷ３は短絡（ｏｎ）であるときに、トランジスタＱ１の制御端は、電源ユニットＢの電圧ＶＢを受け、これにより、ノードＮ１をノードＮ２と接続させる。スイッチＳＷ３はオープン（ｏｆｆ）であるときに、トランジスタＱ１の制御端は電圧を受けないので、ノードＮ１とノードＮ２との間の接続は切断される。スイッチＳＷ４は短絡であるときに、トランジスタＱ２の制御端は電源ユニットＢの電圧ＶＢを受け、これにより、ノードＮ３をノードＮ４と接続させる。スイッチＳＷ４はオーペンであるときに、トランジスタＱ２の制御端は電圧を受けないので、ノードＮ３とノードＮ４との間に接続は切断される。これ以外、トランジスタＱ１とＱ２の制御端により受けられ、トランジスタＱ１とＱ２を制御するための電圧は、正の電圧又は負の電圧であっても良く、これは、トランジスタＱ１とＱ２が正のバイアス又は負のバイアスであるかにより決められる。よって、スイッチＳＷ３とＳＷ４を夫々制御することにより、本発明のドライヤー回路１００はモード０、１、２及び３の間で切り替えることができる。
【００４０】
図１４を参照する。図１４は、本発明の接続制御器１３０１を説明するための図である。接続制御器１３０１は、接続制御器１３００及びスライドスイッチＳＷＴによるものである。図１４に示すように、スライドスイッチＳＷＴは、ノードＮ１とノードＮ２との間の接続、及び、ノードＮ３とノードＮ４との間の接続を制御するために用いられるものである。スライドスイッチＳＷＴのスライドボタンＴを異なる位置に移動することにより、本発明のドライヤー回路１００はモード０、１、２及び３の間で切り替えることができる。これに関連する説明は、既に図９〜図１２に開示されたので、ここでは、その説明を省略する。
【００４１】
図１５を参照する。図１５は、本発明の第一実施例に係る他の接続制御器１５００を説明するための図である。図１５に示すように、接続制御器１５００は、二つのトランジスタＱ１とＱ２、及び、六つの導電接点Ｐ５、Ｐ６、Ｐ７、Ｐ８、Ｐ９、Ｐ１０を含む。トランジスタＱ１とＱ２は、スライドスイッチＳＷＴにより制御される。導電接点Ｐ６、Ｐ８及びＰ１０は、電源ユニットＢに接続される。導電接点Ｐ５は、トランジスタＱ１の制御端に接続される。導電接点Ｐ７は、トランジスタＱ２の制御端に接続される。導電接点Ｐ９は、二つのダイオードＤ３とＤ４を経由して、夫々、トランジスタＱ１とＱ２の制御端に接続される。スライドスイッチＳＷＴは、ベースＨ、スライドボタンＴ及び導電接点Ｐ１を含む。
【００４２】
スライドスイッチＳＷＴのスライドボタンＴがモード１の位置に移動したときに、導電接点Ｐ１は、導電接点Ｐ５とＰ６の間を短絡させ、これにより、トランジスタＱ１の制御端は、電源ユニットＢの電圧ＶＢを受けることができる。よって、トランジスタＱ１は、ノードＮ１をノードＮ２と接続させる。導電接点Ｐ５とＰ６の間は短絡であるときに、ダイオードＤ３は、トランジスタＱ２が電源ユニットＢの電圧ＶＢを受けることを阻止することができる。
【００４３】
スライドスイッチＳＷＴのスライドボタンＴがモード２の位置に移動したときに、導電接点Ｐ１は、導電接点Ｐ７とＰ８の間を短絡させ、これにより、トランジスタＱ２の制御端は、電源ユニットＢの電圧ＶＢを受けることができる。よって、トランジスタＱ２は、ノードＮ３をノードＮ４と接続させる。導電接点Ｐ７とＰ８の間は短絡であるときに、ダイオードＤ４は、トランジスタＱ１が電源ユニットＢの電圧ＶＢを受けることを阻止することができる。
【００４４】
スライドスイッチＳＷＴのスライドボタンＴがモード３の位置に移動したときに、導電接点Ｐ１は、導電接点Ｐ９とＰ１０の間を短絡させ、これにより、トランジスタＱ１とＱ２の制御端は、共に、電源ユニットＢの電圧ＶＢを受けることができる。よって、トランジスタＱ１は、ノードＮ１をノードＮ２と接続させ、トランジスタＱ２は、ノードＮ３をノードＮ４と接続させる。
【００４５】
以上述べたところを総合すれば、スライドスイッチＳＷＴのスライドボタンＴを異なる位置に移動することにより、本発明のドライヤー回路１００は、モード０、１、２及び３の夫々の下で作動することができる。
【００４６】
図１６を参照する。図１６は、本発明の第一実施例に係る他のドライヤー回路１６００を説明するための図である。電気特性について言えば、ドライヤー回路１６００は、ドライヤー回路１００と同じである。図１６に示すように、ドライヤー回路１６００は、主要回路１６１０及び接続制御器１６２０を含む。主要回路１６１０は、電源ユニットＢ、モータＭ（ファンを含む）、二つのダイオードＤ１とＤ２、二つの加熱ユニットＨＧ１とＨＧ２、抵抗Ｒ１、及び三つのノードＮ１、Ｎ２、Ｎ４を含む。
【００４７】
ノードＮ２と電源ユニットＢの負端子との間において、加熱ユニットＨＧ１、モータＭ、ダイオードＤ１及び抵抗Ｒ１は、回路群Ｇ１を形成する。ノードＮ４と電源ユニットＢの負端子との間において、加熱ユニットＨＧ２、モータＭ及びダイオードＤ１は、回路群Ｇ２を形成する。
【００４８】
接続制御器１６２０は、夫々、ノードＮ１とノードＮ２との間の接続、及び、ノードＮ３とノードＮ４との間の接続を制御するために用いられるものである。よって、電流が回路群Ｇ１又は回路群Ｇ２を流れ、或いは、回路群Ｇ１と回路群Ｇ２を同時に流れることを制御することにより、ドライヤー回路１６１０は、異なる操作モードの下で作動することができる。
【００４９】
接続制御器１６２０を利用することにより、主要回路１６１０は、モード０、１、２及び３のモードの間で切り替えることができる。ドライヤー回路１６００の素子の設置はドライヤー１００と異なるが、電気特性について言えば、ドライヤー回路１６００は、ドライヤー１００と同じである。
【００５０】
図１７を参照する。図１７は、本発明の第二実施例を説明するための図である。図１７に示すように、本発明のドライヤー１７００は、主要回路１７１０及び接続制御器１７２０を含む。主要回路１７１０は、電源ユニットＢ、モータＭ（ファンを含む）  、二つの加熱ユニットＨＧ１とＨＧ２、抵抗Ｒ１、及び四つのノードＮ１、Ｎ２、Ｎ３、Ｎ４を含む。電源ユニットＢは、電圧ＶＢを提供する。加熱ユニットＨＧ１とＨＧ２は、夫々、その上に消耗した電気エネルギーにより、熱エネルギーを生成する。モータＭ（ファンを含む）は、その上に消耗した電気エネルギーにより、対応する風量を生成する。
【００５１】
ノードＮ２と電源ユニットＢの負端子との間において、加熱ユニットＨＧ１、モータＭ、及び抵抗Ｒ１は、回路群Ｇ３を形成する。回路群Ｇ３において、モータＭは、直列接続の形で、抵抗Ｒ１と接続され、また、モータＭは、並列接続の形で、加熱ユニットＨＧ１と接続される。
【００５２】
ノードＮ２とノードＮ３との間において、加熱ユニットＨＧ２、モータＭ、及びダイオードＤ１は、回路群Ｇ４を形成する。回路群Ｇ４において、モータＭは、直列接続の形で、ダイオードＤ１と接続され、また、モータＭは、並列接続の形で、加熱ユニットＨＧ２と接続される。
【００５３】
接続制御器１７２０は、夫々、ノードＮ１とノードＮ２との間の接続、及び、ノードＮ３とノードＮ４との間の接続を制御するために用いられるものである。よって、電流が回路群Ｇ３を流れ、或いは、回路群Ｇ３とＧ４を同時に流れることを制御することにより、ドライヤー回路１７００は、異なるモードの下で作動することができる。
【００５４】
ドライヤー回路１７００がモード０の下で作動するときに、主要回路１７１０は、オフ（Ｏｆｆ）状態である。接続制御器１７２０は、ノードＮ１とノードＮ２との間の接続を切断する。よって、電流は、モータＭ及び加熱ＨＧ１、ＨＧ２に流れることができない。
【００５５】
しかし、接続制御器１７２０はノードＮ１とノードＮ２との間の接続を切断し、ノードＮ３をノードＮ４と接続させるときにも、電流は、回路群Ｇ４に流れることができない。よって、本発明の第二実施例では、ドライヤー回路１７００は、モード２の下で作動することができない。
【００５６】
図１８を参照する。図１８は、本発明のドライヤー回路１７００が作動モード１の下で作動することを説明するための図である。図１８に示すように、接続制御器１７２０は、ノードＮ１をノードＮ２と接続させると同時に、ノードＮ３とノードＮ４との間の接続を切断する。モード１では、ダイオードＤ１は、直流電流が加熱ユニットＨＧ２に流れることを阻止することができる。よって、電源ユニットＢが提供した電流は、回路群Ｇ３にのみ流れることができ、加熱ユニットＨＧ１上の電圧ＶＨＧ１は、電圧ＶＢと等しくなり、また、抵抗Ｒ１及びモータＭは、分圧の原理に従って、電圧ＶＢを分担する。
【００５７】
モード１では、加熱ユニットＨＧ１とモータＭの夫々が消費した電気消費量は、次の式により計算することができる。
【００５８】
ＰＨＧ１＝ＶＢ２／（ＲＨＧ１）  （９）
【００５９】
ＶＭ＝ＶＢ×［ＲＭ／（ＲＭ＋Ｒ１）］  （１０）
【００６０】
ＰＭ＝ＶＭ２／ＲＭ＝ＶＢ２×ＲＭ／（ＲＭ＋Ｒ１）２  （１１）
ここで、ＶＭはモータＭ上の電圧であり、ＰＨＧ１とＰＭは夫々加熱ユニットＨＧ１とモータＭが消耗した電気エネルギーであり、ＲＨＧ１、Ｒ１、ＲＭは夫々加熱ユニットＨＧ１、抵抗Ｒ１及びモータＭの抵抗である。主要回路１７１０の素子がモード１の下で消費した電気消費量の計算は、図３と類似するので、ここでは、その説明を省略する。
【００６１】
図１９を参照する。図１９は、本発明のドライヤー回路が作動モード３の下で作動することを説明するための図である。図１９に示すように、接続制御器１７２０は、ノードＮ１をノードＮ２と接続させると同時に、ノードＮ３をノードＮ４と接続させる。よって、電源ユニットＢが提供した電流は、回路群Ｇ３とＧ４を同時に流れることができる。回路群Ｇ３には抵抗Ｒ１が設置されるので、モード３では、抵抗Ｒ１を流れる電流が極めて小さく省略されることができる。また、ダイオードＤ１の電圧降下が極めて小さいので、計算の便宜のため、ここでは、それを省略するが、モータＭの電圧は、電圧ＶＢと等しい。
【００６２】
モード３では、加熱ユニットＨＧ１、ＨＧ２とモータＭが消費した電気消費量は、夫々、次の式により計算することができる。
【００６３】
ＰＨＧ１＝ＶＢ２／（ＲＨＧ１）  （１２）
【００６４】
ＰＨＧ２＝ＶＢ２／（ＲＨＧ２）  （１３）
【００６５】
ＰＭ＝ＶＭ２／ＲＭ＝ＶＢ２／ＲＭ  （１４）
ここで、ＰＨＧ１、ＰＨＧ２は夫々加熱ユニットＨＧ１、ＨＧ２の電気消費量であり、ＲＨＧ１、ＲＨＧ２は夫々加熱ユニットＨＧ１、ＨＧ２の抵抗である。主要回路１７１０の素子がモード３の下で消費した電気消費量の計算は、図７と類似するので、ここでは、その説明を省略する。
【００６６】
図２０を参照する。図２０は、本発明の第二実施例に係る第一接続制御器２０００を説明するための図である。図２０に示すように、接続制御器２０００は、二つのスイッチＳＷ１とＳＷ２を含み、夫々、ノードＮ１とノードＮ２との間の接続、及び、ノードＮ３とノードＮ４との間の接続を制御するためのものである。スイッチＳＷ１とＳＷ２を夫々制御するとこにより、本発明のドライヤー１７００は、モード０、１、２及び３の間で切り替えることができる。なお、スイッチＳＷ１とＳＷ２は、機械式スイッチである。
【００６７】
図２１を参照する。図２１は、本発明の接続制御器２００１を説明するための図である。接続制御器２００１は、接続制御器２０００及びスライドスイッチＳＷＴによるものである。図２１に示すように、スライドスイッチＳＷＴは、ベースＨ、スライドボタンＴ及び二つの導電接点Ｐ１、Ｐ２を含む。スライドスイッチＳＷＴは、ノードＮ１とノードＮ２との間の接続、及び、ノードＮ３とノードＮ４との間の接続を制御するためのものである。導電接点Ｐ３とＰ４は、夫々、ノードＮ１とＮ２に配置され、導電接点Ｐ５とＰ６は、夫々、ノードＮ３とＮ４に配置される。ドライヤー回路１７００は、スライドスイッチＳＷＴのスライドボタンＴを移動することによってモード０、１、２及び３の間で切り替えることができる。
【００６８】
図２２を参照する。図２２は、本発明の第二実施例に係る他の接続制御器２４００を説明するための図である。図２２に示すように、接続制御器２４００は、二つのトランジスタＱ１とＱ２を含む。トランジスタＱ１は、スイッチＳＷ３を制御することにより、ノードＮ１とＮ２との間に接続を制御する。トランジスタＱ２は、スイッチＳＷ４を制御することにより、ノードＮ３とＮ４との間の接続を制御する。スイッチＳＷ３は短絡であるときに、トランジスタＱ１の制御端は、電源ユニットＢの電圧ＶＢを受け、ノードＮ１をノードＮ２と接続させることができる。スイッチＳＷ４は短絡であるときに、トランジスタＱ２の制御端は、電源ユニットＢの電圧ＶＢを受け、ノードＮ３をノードＮ４と接続させることができる。これ以外、トランジスタＱ１とＱ２の制御端により受けられ、トランジスタＱ１とＱ２を制御するための電圧は、正の電圧又は負の電圧であってもよく、これは、トランジスタＱ１とＱ２が正のバイアス又は負のバイアスであるかにより決められる。スイッチＳＷ１とＳＷ２は、並列接続であり、スイッチＳＷ１とＳＷ２を夫々制御することにより、本発明のドライヤー回路１７００は、モード０、１及び３の間で切り替えることができる。
【００６９】
図２３を参照する。図２３は、本発明の第二実施例に係る他の接続制御器２６００を説明するための図である。図２３に示すように、接続制御器２６００は、二つのトランジスタＱ１、Ｑ２、及び、三つの導電接点Ｐ１、Ｐ２、Ｐ３を含む。トランジスタＱ１とＱ２は、共に、スライドスイッチＳＷＴにより制御される。導電接点Ｐ２は、電源ユニットＢと接続される。導電接点Ｐ１は、トランジスタＱ１の制御端に接続される。導電接点Ｐ３は、ダイオードＤ３を経由してトランジスタＱ１の制御端と接続されると同時に、トランジスタＱ２の制御端に接続される。スライドスイッチＳＷＴは、ベースＨ、スライドボタンＴ及び導電接点Ｃを含む。
【００７０】
初期設定において、接続制御器２６００は、スライドボタンＴを特定の位置に設定することにより、導電接点Ｃを導電接点Ｐ１にのみ接触させ、これにより、ドライヤー１７００は、モード０の下で作動する。
【００７１】
スライドスイッチＳＷＴのスライドボタンＴがモード１の位置に移動したときに、導電接点Ｐ１とＰ２は、導電接点Ｃにより、短絡を形成し、これにより、トランジスタＱ１の制御端は、電源ユニットＢの電圧ＶＢを受けることができる。よって、トランジスタＱ１は、ノードＮ１をノードＮ２と接続させる。導電接点Ｐ１とＰ２は短絡であるときに、ダイオードＤ３はトランジスタＱ２が電源ユニットＢの電圧ＶＢを受けることを阻止することができる。
【００７２】
スライドスイッチＳＷＴのスライドボタンＴがモード３の位置に移動したときに、導電接点Ｐ２とＰ３は、導電接点Ｃにより短絡を形成し、これにより、トランジスタＱ１とＱ２の制御端は、共に、電源ユニットＢの電圧ＶＢを受けることができる。よって、トランジスタＱ１は、ノードＮ１をノードＮ２と接続させ、トランジスタＱ２は、ノードＮ３をノードＮ４と接続させる。
【００７３】
以上述べたところを総合すれば、スライドスイッチＳＷＴのスライドボタンＴを異なる位置に移動することにより、本発明のドライヤー回路１７００は、モード０、１及び３の夫々の下で作動することができる。
【００７４】
図２４を参照する。図２４は、本発明の第二実施例に係る他の接続制御器２７００を説明するための図である。図２４に示すように、接続制御器２７００は、二つのトランジスタＱ１とＱ２を含む。トランジスタＱ１は、スイッチＳＷ３により制御され、これにより、ノードＮ１とＮ２との間の接続を制御する。トランジスタＱ２は、スイッチＳＷ４により制御され、これにより、ノードＮ３とＮ４との間の接続を制御する。スイッチＳＷ３は短絡であるときに、トランジスタＱ１の制御端は、電源ユニットＢの電圧ＶＢを受け、ノードＮ１をノードＮ２と接続させる。スイッチＳＷ３とＳＷ４は共に短絡であるときに、トランジスタＱ２の制御端は、電源ユニットＢの電圧ＶＢを受け、ノードＮ３をノードＮ４と接続させる。スイッチＳＷ３は、直列接続の形で、スイッチＳＷ４と接続される。スイッチＳＷ３とＳＷ４を夫々制御することにより、本発明のドライヤー回路１７００はモード０、１及び３の間で切り替えることができる。
【００７５】
図２５を参照する。図２５は、本発明の第二実施例の代替実施例を説明するための図である。図２５に示すように、ドライヤー回路３５００は図１７に示すドライヤー回路１７００と類似するが、両者の相違点は、ドライヤー回路３５００において、ノードＮ１が電源ユニットＢの第二端に設置され、ノードＮ２が加熱ユニットＨＧ１の第二端に設置されることにある。
【００７６】
図２６を参照する。図２６は、本発明の第三実施例を示す図である。図２６に示すように、ドライヤー回路２９００は、主要回路２９１０及び接続制御器２９２０を含む。主要回路２９１０は、電源ユニットＢ、モータＭ（ファンを含む）、ダイオードＤ１、二つの加熱ユニットＨＧ１、ＨＧ２、抵抗Ｒ１、及び三つのノードＮ１、Ｎ２、Ｎ３を含む。電源ユニットＢは電圧ＶＢを提供する。加熱ユニットＨＧ１とＨＧ２は、夫々、その上に消耗した電気エネルギーにより熱エネルギーを生成する。モータＭ（ファンを含む）は、その上に消耗した電気エネルギーにより、対応する風量を生成する。
【００７７】
電源ユニットＢの正端子とノードＮ１との間において、加熱ユニットＨＧ１、モータＭ及び抵抗Ｒ１は、回路群Ｇ３を形成する。回路群Ｇ３において、モータＭは、直列接続の形で抵抗Ｒ１と接続され、また、モータＭは並列接続の形で加熱ユニットＨＧ１と接続される。
【００７８】
電源ユニットＢの正端子とノードＮ３の間において、加熱ユニットＨＧ２、モータＭ及びダイオードＤ１は、回路群Ｇ４を形成する。回路群Ｇ４において、モータＭは、直列接続の形でダイオードＤ１と接続され、また、モータＭは、並列接続の形で加熱ユニットＨＧ２と接続される。
【００７９】
接続制御器２９２０は、夫々、ノードＮ１とＮ２の間の接続、及び、ノードＮ３とＮ４の間の接続を制御するためのものである。よって、電流が回路群Ｇ３を流れ、又は、回路群Ｇ３とＧ４を同時に流れることを制御することにより、ドライヤー回路２９００は異なるモードに設定されることができる。
【００８０】
ドライヤー回路２９００は、接続制御器２９２０を用いてモード０、１及び３の間で切り替え、その詳細は、図１７〜図１９に示すドライヤー回路１７００と類似するので、ここでは、その説明を省略する。主要回路２９１０の素子がモード１と３の下で消費した電気消費量の計算は、図３と図７に関する説明と類似するので、ここでは、その説明を省略する。
【００８１】
図２７を参照する。図２７は、本発明の第三実施例に係る第一接続制御器２９０１を説明するための図である。図２７に示すように、スライドスイッチＳＷＴは、ノードＮ１とＮ２の間の接続、及び、ノードＮ３とＮ４の間の接続を制御するためのものである。スライドスイッチＳＷＴのスライドボタンＴを異なる位置に移動することにより、本発明のドライヤー回路２９００は、モード０、１及び３の間で切り替えることができ、その詳細は、図２１と類似するので、ここでは、その説明を省略する。
【００８２】
図２８を参照する。図２８は、本発明の第三実施例に係る他の接続制御器３１００を説明するための図である。図２８に示すように、接続制御器３１００は、二つのトランジスタＱ１、Ｑ２及びスライドスイッチＳＷＴを含む。トランジスタＱ１は、ノードＮ１とＮ２の間の接続を制御するためのものである。トランジスタＱ２は、ノードＮ２とＮ３の間の接続を制御するためのものである。スライドスイッチＳＷＴは、トランジスタＱ１とＱ２を制御するためのものである。スライドスイッチＳＷＴを制御することにより、本発明のドライヤー回路２９００は、モード０、１及び３の間で切り替えることができ、また、その詳細は、図２１と図２２と類似するので、ここでは、その説明を省略する。
【００８３】
図２９を参照する。図２９は、本発明の第三実施例に係る他の接続制御器３２００を説明するための図である。図２９に示すように、接続制御器３２００は、二つのトランジスタＱ１、Ｑ２及び導電接点Ｐ１、Ｐ２、Ｐ３を含む。トランジスタＱ１とＱ２は、スライドスイッチＳＷＴにより制御される。導電接点Ｐ２は、電源ユニットＢと接続される。導電接点Ｐ１は、トランジスタＱ１の制御端と接続される。導電接点Ｐ３は、トランジスタＱ２の制御端と接続されると同時に、ダイオードＤ３を経由してトランジスタＱ１の制御端と接続される。スライドスイッチＳＷＴは、ベースＨ、スライドボタンＴ及び導電接点Ｃを含む。スライドスイッチＳＷＴのスライドボタンＴを移動することにより、本発明のドライヤー回路２９００は、モード０、１及び３の間で切り替えることができ、また、その詳細については、図２３と類似するので、ここでは、省略する。
【００８４】
図３０と図３１を参照する。図３０は、本発明の第三実施例のドライヤー回路２９００がモード２の下でも作動できることを説明するための図である。図３１は、本発明の第三実施例に係る主要回路の素子がモード２の下で消費した電気消費量の計算を説明するための図である。図３０に示すように、ドライヤー回路２９００は、モード２の下でも作動でき、言い換えると、接続制御器２９２０によりノードＮ２をノードＮ３と接続させ、主要回路２９１０を図２６に示すような接続状態にする。ドライヤー回路２９００がモード２の下で生成した風量は、モード１の場合の２倍であり、且つ、より多くの熱エネルギーが生成されることができ、図３１に示すように、その計算式は、次のようである。
【００８５】
ＶＨＧ１＝［ＲＨＧ１／（ＲＨＧ１＋Ｒ１）］×ＶＢ  （１５）
【００８６】
ＶＲ１＝［ＲＲ１／（ＲＨＧ１＋Ｒ１）］×ＶＢ  （１６）
【００８７】
ＰＨＧ１＝ＶＨＧ１２／ＲＨＧ１＝［ＲＨＧ１／（ＲＨＧ１＋Ｒ１）］２×ＶＢ２／ＲＨＧ１  （１７）
【００８８】
ＰＲ１＝［ＲＲ１／（ＲＨＧ１＋Ｒ１）］２×ＶＢ／ＲＲ１  （１８）
【００８９】
ＰＨＧ２＝ＶＢ２／ＲＨＧ２  （１９）
【００９０】
ＰＭ＝ＶＢ２／ＲＭ  （２０）
これ以外、本発明が言及した電源ユニットは、前述の実施例に限られず、電池、充電電池、燃料電池、小型発電機又は他の任意の給電装置により実現されても良い。本発明が言及した加熱ユニットは、前述の実施例に限られず、加熱用タングステン線又は抵抗を有し消耗した電気エネルギーにより熱エネルギーを生成できる任意の装置により実現されても良い。本発明が言及したトランジスタは、任意の電子スイッチにより実現されても良く、例えば、金属酸化膜半導体電界効果トランジスタ（ｍｅｔａｌ−ｏｘｉｄｅ  ｓｅｍｉｃｏｎｄｕｃｔｏｒ  ｆｉｅｌｄ−ｅｆｆｅｃｔ  ｔｒａｎｓｉｓｔｏｒ：ＭＯＳＦＥＴ）、接合型電界効果トランジスタ（ｊｕｎｃｔｉｏｎ  ｆｉｅｌｄ  ｅｆｆｅｃｔ  ｔｒａｎｓｉｓｔｏｒ：ＪＦＥＴ）、シリコン制御整流器（ｓｉｌｉｃｏｎ−ｃｏｎｔｒｏｌｌｅｄ  ｒｅｃｔｉｆｉｅｒ：ＳＣＲ）又はユニジャンクショントランジスタ（Ｕｎｉ−ｊｕｎｃｔｉｏｎ  ｔｒａｎｓｉｓｔｏｒ：ＵＪＴ）等により実現されても良い。更に、本発明が言及した抵抗は、加熱ユニットと見なされても良く、又は、加熱ユニットにより置換されても良い。本発明が言及したスライドスイッチは、他の種類のスイッチにより置換されても良く、例えば、回転式スイッチ又はボタン式スイッチであっても良い。
【００９１】
以上述べたところを総合すれば、本発明は、複数の斬新なドライヤー回路を提供することにより、携帯ドライヤーにマルチ設定の機能を持たせることができる。更に具体的に言えば、本発明のドライヤー回路は、接続制御器を利用して、モータ及び加熱ユニットの消耗パワーを同時に制御することにより、適切な熱量と風量を生成させることができる。
【００９２】
以上、本発明の好ましい実施形態を説明したが、本発明はこの実施形態に限定されず、本発明の趣旨を離脱しない限り、本発明に対するあらゆる変更は本発明の範囲に属する。
【符号の説明】
【００９３】
１００、１６００、１７００、２９００、３５００  ドライヤー回路
１１０、１６１０、１７１０、２９１０、３５１０  主要回路
１２０、８００、８０１、１３００、１３０１、１５００、１６２０、１７２０、２０００、２００１、２４００、２４０１、２６００、２７００、２７０１、２９０１、２９２０、３１００、３２００、３３００、３３０１、３５２０  接続制御器
Ｂ  電源ユニット
Ｄ１〜Ｄ４  ダイオード
Ｇ１〜Ｇ４  回路群
Ｈ  ベース
ＨＧ１、ＨＧ２  加熱ユニット
Ｌ、２Ｌ  長さ
Ｍ  モータ
Ｍｏｄｅ１〜３  モード
Ｎ１〜Ｎ４  ノード
Ｐ１〜Ｐ１０、Ｃ  導電接点
ＳＷ１〜ＳＷ４  スイッチ
ＳＷＴ  スライドスイッチ
Ｔ  スライドボタン
ＶＢ、ＶＤ１、ＶＨＧ１、ＶＨＧ２、ＶＭ、ＶＲ１  電圧
【図１】
2011206300.tif 000003
【図２】
2011206300.tif 000004
【図３】
2011206300.tif 000005
【図４】
2011206300.tif 000006
【図５】
2011206300.tif 000007
【図６】
2011206300.tif 000008
【図７】
2011206300.tif 000009
【図８】
2011206300.tif 000010
【図９】
2011206300.tif 000011
【図１０】
2011206300.tif 000012
【図１１】
2011206300.tif 000013
【図１２】
2011206300.tif 000014
【図１３】
2011206300.tif 000015
【図１４】
2011206300.tif 000016
【図１５】
2011206300.tif 000017
【図１６】
2011206300.tif 000018
【図１７】
2011206300.tif 000019
【図１８】
2011206300.tif 000020
【図１９】
2011206300.tif 000021
【図２０】
2011206300.tif 000022
【図２１】
2011206300.tif 000023
【図２２】
2011206300.tif 000024
【図２３】
2011206300.tif 000025
【図２４】
2011206300.tif 000026
【図２５】
2011206300.tif 000027
【図２６】
2011206300.tif 000028
【図２７】
2011206300.tif 000029
【図２８】
2011206300.tif 000030
【図２９】
2011206300.tif 000031
【図３０】
2011206300.tif 000032
【図３１】
2011206300.tif 000033